(57)【要約】【課題】  人体における顔面等のメイクアップを学習する者に対して、その表面の質感等が非常に人体顔面に類似し、またその形状も人体顔面その物であり、時間や場所等に限定されることなく、自在に繰返し化粧を施すことが可能な顔面交換可能な人面基体並びに人体基体を使用したメイクアップの練習装置、練習装置における顔面交換の方法並びに化粧等メイクアップの練習方法を提供することにある。【解決手段】  人面基体Ａの顔面基板部分が可塑性材料で形成され、顔面基板の表面に最終顔面となるべき薄膜状の顔面表層Ｃを成膜可能かつ剥離可能とする離型層Ｂを有する顔面交換可能な人面基体Ａを用いることを特徴とするものである。【選択図】        図３
2006345892.tif 000002
【特許請求の範囲】
【請求項１】
少なくとも外表面に人の顔面形状が凹凸形状をなすように形成されたベース体と、
前記ベース体の表面に被着され、最終顔面となるべき薄膜状の顔面表層を成膜可能かつ剥離可能とする離型層と、
を備えたことを特徴とする顔面交換可能な人面基体。
【請求項２】
前記請求項１の人面基体の表面に、最終顔面となるべき薄膜状の顔面表層を成膜して化粧を施したことを特徴とする顔面交換可能な人面装飾体。
【請求項３】
少なくとも外表面に人の顔面形状が凹凸形状をなすように形成されたベース体と、
前記ベース体の表面に被着され、最終顔面となるべき薄膜状の顔面表層を成膜可能かつ剥離可能とする離型層と、
を備えたことを特徴とする最終顔面を交換可能なメイクアップ練習用の人面基体。
【請求項４】
請求項３のメイクアップ練習用の人面基体と、
そのメイクアップ練習用の人面基体に対して成膜する最終顔面となるべき薄膜状顔面表層の素材を蓄えた顔面素材容器を有することを特徴とするメイクアップ練習装置。
【請求項５】
請求項３のメイクアップ練習用の人面基体の表層に、最終顔面となるべき薄膜状の顔面表層に吸水素材を用いて成膜し、
それにより成膜された薄膜状の顔面表層に対して所望の化粧を施し、
化粧の練習を完了した後に前記薄膜状の顔面表層を剥離し、
その薄膜状の顔面表層が剥離されたメイクアップ練習用の人面基体に対して再び薄膜状の顔面表層を成膜することにより、化粧の練習を繰返すようにしたことを特徴とするメイクアップの練習方法。
【発明の詳細な説明】
【技術分野】
【０００１】
本発明は、化粧等メイクアップを学習する際並びにメイクアップを施した後にその作品を展示装飾する場合における顔面交換可能な人面基板および人面装飾体、ならびにメイクアップ練習装置およびメイクアップの練習方法に関する。
【背景技術】
【０００２】
従来においては、美容学校等における人体の顔面に関する化粧等メイクアップを施す実習時には、樹脂などで形成された人体顔面（マネキンなど）等の使用若しくは二名の受講者がお互いに相手の顔面に対して化粧を施すなどの方法が用いられてきた。
【０００３】
しかしながら、上記の樹脂などで形成された人形では、顔面表面が実際の人体の顔面表面における皮膚の質感と大幅にことなり、化粧を施しても実際の人体における顔面表面に行う場合と異なる結果となる場合が多く見られた。
【０００４】
また、学習者同士がお互いの顔面に対して化粧を施す場合には、常に相手となる受講者がその場に居合せる必要があり、例えば自宅学習の場合など実際の化粧を施すことが事実上不可能な場合が多く見られる。
【０００５】
さらに、実際の人体を使用する為に、長時間繰返し練習としての化粧を行うことは練習用のモデルとして顔面を提供する者にとっては不快と同時に、顔面提供者の顔面皮膚に関しても負担を多くかけてしまうことが現状である。
【０００６】
また、下記の特許文献１のようにマネキンに複数の顔面等を配置してメイクアップの練習を複数回にわたって行い得るように構成した提案もなされているが、練習の回数は顔面の数に限定されており、メイクアップ前の顔面に戻すには多大の手間を要していることから本質的な解決にはなっておらず、しかも複数の顔面を目前にすることはメイクアップ練習者にとって美的感性において不快な気分になっとしまうこともある。
【０００７】
さらに、メイクアップの学習者並びにメークアップアーティストは、画像やデータ等に頼ることなく、自らの作品を現物の状態として残すことは難しい状況にあった。
【０００８】
【特許文献１】実開平０６−０７５３１１号公報
【発明の開示】
【発明が解決しようとする課題】
【０００９】
そこで本発明の目的は、上記従来技術の問題点を解消して、人体における顔面等のメイクアップを学習する者に対して、その表面の質感等が非常に人体顔面に類似し、またその形状も人体顔面その物であり、時間や場所等に限定されることなく、自在に繰返し化粧を施すことが可能な顔面交換可能な人面基体並びに人体基体を使用したメイクアップの練習装置、練習装置における顔面交換の方法並びに化粧等メイクアップの練習方法を提供し、その作品を人面装飾体として実際に展示保存することを可能することにある。
【課題を解決するための手段】
【００１０】
上記課題を解決するために、本発明では人面基体の顔面基板部分が可塑性材料で形成され、顔面基板の表面に最終顔面となるべき薄膜状の顔面表層を成膜可能かつ剥離可能とする離型層を有する顔面交換可能な人面基体を用いることを特徴とするものである。これにより人面基体に対して顔面表層が離型層を介して成膜されたり剥離されたり繰り返し使用され、顔面表層に対するメイくアップの練習が何度でも繰り返して行うことが可能となる。
【００１１】
人面基体の顔面基板部分が可塑性材料で形成され、顔面基板の表面に最終顔面となるべき薄膜状の顔面表層を成膜可能かつ剥離可能とする離型層を有する顔面交換可能な人面基体は人面装飾体として用いることも好適である。メイクアップの練習者にとって、自らの作品の結果を継続的に残すことが可能となり、また、ディスプレイ等の美術作品とすることが可能となる。
【００１２】
かかる人面基板は、最終顔面となるように薄膜状に成膜可能かつ剥離可能に装着される層を有するメイクアップ練習用の人面基体として使用することができる。
【００１３】
かかる人面基板には、その顔面交換可能な人面の表面部分に最終顔面となるように薄膜状に成膜される顔面表層の原材料を蓄えた顔面素材容器を有するメイクアップ練習装置としての機能を持たせることが好適である。これにより、メイクアップの学習を行う場面で、学習者がモデルとなる人体の存在が無い場合においても、何時においても自在にメイクアップの実習を行うことが可能となる。
【００１４】
また、かかる人面基板には、表層に最終顔面となるべき薄膜状の顔面表層に吸水素材を用いて成膜し、成膜された顔面表層に対して所望の化粧を施し、人面体に化粧の処置を施した後に顔面最終表層を剥離し、顔面に対して再び最終表層Ｃを成膜することにより、自在に繰返しが可能なメイクアップの練習方法とすることができる。
【発明の効果】
【００１５】
以上説明してきたように、本発明の顔面交換可能な人面基体を使用することによって、化粧等メイクアップの練習を容易に繰り返して行うことができるとともに、作品としても顔面表情等の交換作業を容易に行うことができ、展示保管を良好に行うことができる。
【発明を実施するための最良の形態】
【００１６】
以下、本発明の具体的な実施の形状について図面を参照しつつより詳細に説明する。
図１ないし図３に本発明の人面基体における一実施形態を示す。図示するように、本発明にかかる人面基体Ａは、３層の積層体から構成されており、具体的には、基板となるべきベース体２と、そのベース体２の表面に略均一に塗布された離型層３と、最上層の最終顔面薄膜層４とを備えている。
【００１７】
このうちのベース体２は、実際に人体から型を取りその型から形成された人面基板の表面状態が実際の人体に忠実に再現されるものであって、人体の顔面から型取りして成型するが、その型取りの場合には、実際の人間の顔に対して、例えば溶解したシリコン素材等を塗り付けて固化させ、それを剥ぎ取って人面を型どった凹型とし、その凹型内に熔解させた石膏等の可塑性材料を流し込んで硬化させてから取り出したものを用いることができる。
【００１８】
また、型となる人体の測定に、三次元読み取り装置を用いた場には、読み取られた顔面形状データに沿って切削形成された金属部材や、測定されたデータを元に作成された三次元樹脂部材をベース体２とすることもできる。
【００１９】
一方、上述した離型層３は、ベース体２の外側表面部分を覆う形状で前記ベース体２の表面上に積層されたものであって、その上に被着される最終顔面薄膜層４を積層する際における円滑性並びに定着・剥離性を高めるとともに、最終顔面薄膜層４の表面における人体肌色や凹凸状態の調整・標準化などを司るために用いられるものである。この離型層３は、成膜可能かつ剥離可能とする材料を積層せしめることがが好ましく、そのようにすることによって、最終表面となる最終顔面薄膜層４を使用時に容易に配置することが可能となり、使用後には容易に最終表面となる最終顔面薄膜層４を除去することが可能である。
【００２０】
この離型層３を形成する素材としては、例えばアクリル系樹脂（商標名：ジッソ）やテフロン（登録商標）系樹脂など液状としたものが採用され、スポンジ等の吸水部材に含ませて前記ベース体２に対して表面から叩くようにして付着させることによって、密着並びに固着が容易に行われるが、この離型層３をとしては、最終顔面薄膜層４を固着した後における積層面表面の円滑性に優れ、且つ、積層面表面に適当な摩擦性を有する素材を用いることが好ましい。さらにこの離型層３には、水性塗料若しくはエマルジョン塗料等により、人体の肌の色を予め着色することが好適である。このような処理を施すことにより、最終顔面薄膜層４を透明材料から形成した場合に、人種などによる人面基体における最終的な肌の色の差異を予め標準化することが可能となる。
【００２１】
また、上述した離型層３は、最終顔面薄膜層４がベース体２に対して実際の人体顔面に近い状態を再現せしめる為に必要な部分であるので、特に厚みや強度などに左右される必要はなく、ベース体２と最終顔面薄膜層４との中間に配置してさえいれば、寸法的な制約を課されることはない。この離型層３の表面に人の顔面皮膚に近い細かな凹凸を付けておけば、よりリアルな人面を得る上で好適である。
【００２２】
特に図３に示されるように、上述した最終顔面薄膜層４は、前記離型層３の更に外層側に形成されるものであって、使用者は、この最終顔面薄膜層４に対して化粧等を施すこととなる。すなわち、この最終顔面薄膜層４は、ラテックス等液状のゴム類を離型層３の外表面に最終顔面としてスポンジ等吸水素材により均等に塗付して薄膜状に成膜せしめるものであり、前記離型層３に対する最終顔面薄膜層４の成膜によって顔面交換可能な人面基板Ａが形成される。この最終顔面薄膜層４を構成する薄膜素材には、予め水溶性塗料等で着色が可能で、人体基板の肌色を調整可能であることが好ましい。
【００２３】
なお、ラテックスとは、種々のポリマーが乳化剤などの助けで水中に球状に近い微粒子として分散している不均一系懸濁液であり、固形ゴムと異なり、特有の特性を有し、植物の代謝作用による天然の生産物であるＮＲラテックスと乳化重合法により合成された合成ゴムラテックス、固形ゴムを水中に乳化分散した人工ラテックスの三種類に区別される。また、分散しているポリマーの種類によっても分類され、ＳＢＲ、ＢＲ、ＮＢＲ、ＣＲ、ＩＲラテックスなどがある。本実施形態では、液状のものが用いられ、適宜のスポンジ材を用いて、たたくようにして被着される。被着後の厚さは、使用者によって異なることとなるが、なるべく薄い方が好ましく、本実施形態では、０．５ｍｍ前後とするのが好適である。
【００２４】
このような構成からなる人面基体Ａを用いた化粧等メイクアップの練習者は、まず、液状の最終顔面薄膜層４の素材をスポンジ等に染み込ませ、それを上述したベース体２に被着された離型層３の上から所望のリズムで叩くようにして成膜を行って最終顔面薄膜層４を形成する。この最終顔面薄膜層４は、肌色をなす人の素肌に相当するものとなっているが、基礎となるベース体２を実際の人から型取りしていることから、極めてリアルなものにすることができる。
【００２５】
そして、上述したようにして薄膜状に成膜された人体基体Ａの最終顔面薄膜層４に対して、化粧の練習者が化粧等のメイクアップの練習を施すが、化粧等のメイクアップの練習が終了した後には、メイキャップされた最終顔面薄膜層４を離型層３から引き剥がすようにして除去する。そのときの剥離操作は、上述した離型層３の離型製により極めて良好に行われることとなる。そして、最終顔面薄膜層４の剥離除去により露出状態となったベース体２に被着された離型層３の上から、新たに最終顔面薄膜層４を同様に成膜せしめれば、同様な化粧等のメイクアップの練習が容易に繰返して行われることとなる。
【００２６】
また、化粧を施された後の人面基体Ａは、人面装飾体として、その練習者の作品または化粧等メイクアップのサンプル、宣伝用のディスプレイ、演出用の装飾具として好適に使用することが可能となる。また、有名人等のプロモーションとして使用、若しくは販売を行うことも可能となる。
【００２７】
また、上述した実施形態における最終顔面薄膜層４の素材を例えば液状等の状態にして詰めた顔面素材容器を準備しておき、それを上述した人面基体Ａに塗布するスポンジとともセットとしておけば、それをメイクアップ練習装置として販売することも可能である。
【００２８】
なお、上述した実施形態では、離型層３を用いているが、ベース体２の材質に剥離製の良いものを用いた場合であって最終顔面薄膜層４の剥離が良好に行われる場合には、上述した離型層３を用いることなく、ベース体２自体を人面基体とすることも可能である。
【００２９】
また、ベース体として石膏を用いたが、粘土やプラスチック等の各種可塑性材料の他に多種多様なものを用いることができる。
【図面の簡単な説明】
【００３０】
【図１】本発明の一実施形態における顔面交換可能な人面基体Ａの一好適例を示す側面図である。
【図２】図１に示す顔面交換可能な人面基体Ａを示す正面図である。
【図３】人面基体Ａの積層状態並びに断層状態を示す拡大図側面図である。
【符号の説明】
【００３１】
Ａ  人面基体
２  ベース体
３  離型層
４  最終顔面薄膜層
【図１】
2006345892.tif 000003
【図２】
2006345892.tif 000004
【図３】
2006345892.tif 000005